(57)【要約】  本発明は、冷温時でも暖かく、暖温時でも動きやすく、急激な温度変化にも迅速に対応でき、使い勝手がよく、かつ、経済的なスリーピングバッグを提供する。  本発明のスリーピングバッグ(10)は、その外側に配置されるポケット(24)を利用して、レクタンギュラー形状とマミー形状との間での変換が可能となっている。スリーピングバッグ(10)本体を該ポケット(24)もしくはスリーブ構造内に引き込むことにより、上記の形状の変換が達成される。
2011509761.tif 000002
【特許請求の範囲】
【請求項１】
レクタンギュラー型とトラペゾイダル型の間で変換可能なスリーピングバッグであって、
上端、下端、第１および第２の平面、第１および第２の側部を有し、その中に容積を有するシェルと、
該シェルに取り付けられ、上端、下端、第１および第２の側部を有する、ポケットと、
を備え、
前記ポケットを、前記シェルの少なくとも一部の周りで裏返すことにより、該シェルが第１のレクタンギュラー形状と第２のトラペゾイダル形状との間で変換可能としている、
スリーピングバッグ。
【請求項２】
前記ポケットのうち少なくとも前記第１の側部が、前記シェルの第１の平面に取り付けられている、請求項１に記載のスリーピングバッグ。
【請求項３】
前記ポケットの前記下端が、前記シェルの第１の平面に取り付けられている、請求項２に記載のスリーピングバッグ。
【請求項４】
前記ポケットの前記第２の側部が、前記シェルの第１の平面に取り付けられている、請求項２または３に記載のスリーピングバッグ。
【請求項５】
前記ポケットがトラペゾイダル形状を有する、請求項１に記載のスリーピングバッグ。
【請求項６】
前記ポケットの下端から上端までの長さが少なくとも７．６２ｃｍである、請求項１に記載のスリーピングバッグ。
【請求項７】
前記ポケットが縫い付けにより前記シェルに取り付けられている、請求項１に記載のスリーピングバッグ。
【請求項８】
前記ポケットとシェルが、異なる織物素材からなる、請求項１に記載のスリーピングバッグ。
【請求項９】
前記ポケットとシェルが、同じ織物素材からなる、請求項１に記載のスリーピングバッグ。
【請求項１０】
前記ポケットが保存袋として機能する、請求項１に記載のスリーピングバッグ。
【請求項１１】
前記保存袋を閉止するための手段をさらに備える、請求項１０に記載のスリーピングバッグ。
【請求項１２】
第１および第２の端部を有するストラップをさらに備え、該ストラップは、前記シェルの下端側から前記シェルの上端側に向けて延びており、該ストラップにより、前記レクタンギュラー型からトラペゾイダル型への変換がアシストされる、請求項１に記載のスリーピングバッグ。
【請求項１３】
前記ストラップの第１端部が、前記シェルの下端に取り付けられている、請求項１２に記載のスリーピングバッグ。
【請求項１４】
前記ストラップの第１端部が、前記ポケットの下端に取り付けられている、請求項１２に記載のスリーピングバッグ。
【請求項１５】
前記ストラップが、ウェビング材料からなる、請求項１２に記載のスリーピングバッグ。
【請求項１６】
前記シェルの内側に配置されるライナをさらに備え、前記ポケットが該ライナに取り付けられている、請求項１に記載のスリーピングバッグ。
【請求項１７】
第１の型と第２の型との間で変換可能なスリーピングバッグであって、
上端、下端、第１および第２の平面、第１および第２の側部を有し、その中に容積を有するシェルと、
該シェルに取り付けられ、上端、下端、第１および第２の平面を有する、ポケットと、
を備え、
前記ポケットを、前記シェルの少なくとも一部の周りで裏返すことにより、該シェルが第１の型と第２の型との間で変換可能であり、第１の型と第２の型との間で、該シェルの容積が異なるようになっている、
スリーピングバッグ。
【請求項１８】
前記ポケットが、前記第２の型を形成するための特定形状を有する、請求項１７に記載のスリーピングバッグ。
【請求項１９】
前記ポケットが、トラペゾイダル形状を有する、請求項１８に記載のスリーピングバッグ。
【請求項２０】
前記第２の型における容積が、前記第１の型における容積より少なくなる、請求項１７に記載のスリーピングバッグ。
【請求項２１】
前記第１の型にある状態で、前記ポケットの第１の平面が前記シェルの第１の平面に当接し、前記第２の型にある状態で、前記ポケットの第２の平面が前記シェルの第２の平面に当接するようになっている、請求項１７に記載のスリーピングバッグ。
【発明の詳細な説明】
【技術分野】
【０００１】
本発明は、スリーピングバッグに関するが、より具体的には、２つの異なる形状または型式の間で変換可能なスリーピングバッグに関する。
【背景技術】
【０００２】
スリーピングバッグは、寝心地が悪くなる場合があり、そのような場合には、ユーザーが必要とする眠りが妨げられてしまう。スリーピングバッグの快適さは、暖かさに大きく左右される。すなわち、状況に応じて、使用者にとって適正な量の断熱材が備えられているかということである。また、スリーピングバッグの快適さは、ユーザーが自由に動くことができるかということにも左右される。ただし、これらの２つの側面は、相反する場合がある。たとえば、同様の形状のスリーピングバッグにおいて、内側の空間を余裕のあるものとすれば、使用者はより自由に動くことができるようになる。しかしながら、スリーピングバッグの内側に余裕ができるということは、より空間が広くなって、ユーザーの体を温める必要がある一方で、外側でより多くのスリーピングバッグの表面が寒さに晒されることとなる。よって、ほとんどのスリーピングバッグにおける快適な温度範囲は狭いものにとどまっている。したがって、スリーピングバッグの製造業界においては、広い温度範囲に適合させうるスリーピングバッグの適合性を効果的に調節しうる手段が強く望まれている。
【先行技術文献】
【特許文献】
【０００３】
【特許文献１】米国特許第６１７５９７６号
【特許文献２】米国特許第５４７３７７９号
【特許文献３】米国特許第６０７３２８２号
【特許文献４】米国特許第３９７９７８４号
【特許文献５】特開平８−２４１０４号
【発明の概要】
【０００４】
したがって、本発明は、より涼しいときでもより暖かく、より暖かいときでもより動きやすく、かつ、使い勝手がよく、経済的なスリーピングバッグを提供することを目的とする。
【０００５】
以下、本発明の基本的な理解を図るため、本発明のいくつかの実施形態についてその簡単な概要を示すが、この概要は、本発明の外延を示すものではない。すなわち、この概要は、本発明の必須の要素を特定したり、本発明の範囲を画定したりすることを意図するものではない。その唯一の目的は、本発明のいくつかの実施形態について、後述するより詳細な説明への導入として、簡潔に示すことにある。
【０００６】
本発明は、従来からある、レクタンギュラー（矩形）型、ハイブリッド型、もしくは封筒型の形状と、トラペゾイダル（台形）型、もしくはマミー型の形状との間で、形状を変換できるスリーピングバッグに関する。このように変換可能とすることで、ユーザーは、より暖かい気候時に使用されるレクタンギュラー型から、より寒い気候時に好適なトラペゾイダル型へと、スリーピングバッグを変換させることができる。トラペゾイダル（マミー）型の構造では、スリーピングバッグの内部容積が減少するので、熱損失を抑えることができる。
【０００７】
本発明は、従来からあるレクタンギュラー型と狭められたトラペゾイダル型（マミー状）との間で形状を変換でき、内部容積を調節できるスリーピングバッグを提供する。この調節機構により、ユーザーは、スリーピングバッグの内側のスペースを減少させて、先細の（テーパの付いた）マミー状の形状として、寒い気候時でも最大限の快適さを得ることができる。一方、ユーザーは、スリーピングバッグの内側のスペースを拡大させて、テーパのないレクタンギュラー形状として、暖かい気候時における最大限の快適さと動きの自由を得ることができる。この調節は、外側ポケットを通じて、迅速かつ容易に達成されるので、スリーピングバッグのユーザーは温度の急激な変化にも対応できる。
【０００８】
本発明のその他の特徴については、以下の詳細な説明と図面とにより明らかにされる。
【図面の簡単な説明】
【０００９】
【図１】本発明の一実施形態のスリーピングバッグについて、その第１のレクタンギュラー形状にある状態を示す、平面斜視図である。
【図２】図１に示すスリーピングバッグについて、変換後における、その第２のトラペゾイダル形状にある状態を示す、平面斜視図である。
【図３】図１に示すスリーピングバッグについて、その第１のレクタンギュラー形状の暖温時の構成を示す分解平面斜視図である。
【図４】本発明の一実施形態のスリーピングバッグについて、第１および第２の構成を通じて、変換プロセスを示す概略図である。
【図５】本発明の一実施形態のスリーピングバッグについて、第１のレクタンギュラー形状から第２のトラペゾイダル形状への変換を示す連続斜視図である。
【図６】本発明の一実施形態のスリーピングバッグであって、追加的に補助ストラップを備えるものについての変換を示す連続斜視図であって、（ａ）幅広のレクタンギュラー形状の暖温時における状態、（ｂ）暖温時の構成から、縮められてテーパ状の冷温時の構成への変換の開始時における状態、（ｃ）変換の次の段階の状態、（ｄ）変換の中間段階の状態、（ｅ）変換完了直前の状態、（ｆ）縮められてテーパ状の冷温時における状態のスリーピングバッグをそれぞれ示す。
【発明を実施するための形態】
【００１０】
以下の説明において、本発明のいくつかの実施形態について記述される。その実施形態について十分な理解を図るため、特定の構成および細部について説明される。ただし、このような細部を適用しなくても、当業者が本発明を実施できることは明らかである。また、その実施形態についての説明が不明瞭とならないように、周知の機構については、省略または簡略化される。
【００１１】
複数の図面において、同じ要素には同じ参照符号が付される。図１は、本発明の一実施形態のスリーピングバッグ１０を示す。この図（図４ａ、図５ａ、図６ａでも同様）では、スリーピングバッグは、レクタンギュラー形状である。スリーピングバッグ１０は、上端１２、下端１４、上面１６、底面１８、および、２つの側部２０、２２を有し、レクタンギュラー形状である、縦長のシェルを備える。スリーピングバッグ１０において、通常、上端１２は開かれており、少なくとも一方の側部２０および好ましくは下端１４まで伸長する開口を備える。この開口は、ジッパ、トグル、ループおよびフックファスナなどの従来からある閉止手段（図示せず）により、任意的かつ調節可能に閉鎖できるようになっている。図２、図４ｂ、図５ｃ、図６ｆにトラペゾイダル形状を示すが、この場合のスリーピングバッグ１０も、上述したレクタンギュラー形状にある場合と、同じ基本要素から構成される。ただし、形状において、上端１２が、下端１４よりもより幅広の寸法となるようになっている点で相違している。これにより、トラペゾイダル形状またはマミー形状を形成している。
【００１２】
このレクタンギュラー形状において、スリーピングバッグ１０の上面１６には、わずかにトラペゾイダル形状となっている外側ポケット２４が備えられている。このポケット２４の形状は、他の形状でもよく、また、その配置も下端１８側でもよい。図３に示すように、ポケット２４は、開いている上端２６と、下端２８および２つの側部３０、３２を備える。このうち、下端２８と側部３０、３２は、スリーピングバッグの上面１６または下端１４のいずれかに結び付けられている。ポケット２４は、上端２６と下端２８の両方で開かれているようにしてもよい。また、ポケットの形状をスリーブ状としてもよい。好ましくは、ポケット２４は、スリーピングバッグの下端１４の近くに配置される。ただし、下端１４から少しだけ間隔をおいて配置してもよく、必ずしも下端１４の最外縁に位置させる必要はない。
【００１３】
ポケット２４の上端２６から下端２８まで測定した深さは、最低で約７．６２ｃｍ（３ｉｎｃｈ）であるが、スリーピングバッグ１０の長さ全体に伸長させてもよい。ポケット２４のスリーピングバッグ１０への取り付けは、どのような手段を使ってもよいが、縫い付けによるのが好ましい。その他の取り付け手段としては、フックおよびループファスナ、スナップ、ボタン、トグル、溶着、接着剤などがある。スリーピングバッグ１０の上面１６または底面１８の代わりに、スリーピングバッグ１０のライナ（図示せず）に取り付けるようにしてもよい。
【００１４】
スリーピングバッグおよびポケットのいずれも、従来のスリーピングバッグ用の材料を用いて製造することができる。ポケットの材料としては、織物素材、ニット、不織布、その他のスリーピングバッグをマミー型に変換するのに好適な材料を用いることができる。
【００１５】
図５および図６に、レクタンギュラー形状からトラペゾイダル形状への転換プロセスを示す。操作に際しては、外側ポケット２４を利用することにより、暖温時に使用されるレクタンギュラー型、ハイブリッド型または封筒型から、冷温時に使用されるマミー型へと、スリーピングバッグ１０を変換させることができる。ユーザーが、ポケット２４を裏返しにすると、ポケット２４がスリーピングバッグ１０の側部２０、２２を捕捉して、図２、図５ｃおよび図６ｆに示すような、脚側の容積が減少した状態のマミー型の形状にスリーピングバッグ１０が転換される。元の状態に戻すには、ユーザーは、逆の手順を踏んで、スリーピングバッグをポケットまたはスリープから引き出すようにすればよい。
【００１６】
ポケット２４を、スリーピングバッグを保管するための詰物袋、保存袋、ないしは圧縮袋として機能させてもよい。図３および図６に示すように、ポケット２４に、ウェビング、伸縮素材、ドローコード、ジッパ、フックおよびループファスナ、スナップ、その他の手段を設けて、スリーピングバッグの変換を補助させたり、確実ならしめたり、もしくは、保存ポケットや詰物袋としての機能を持たせたりしてもよい。ウェビングもしくは布地製のストラップ３４、その他の手段を、ポケット２４の底部に設けて、ポケットを裏返す際に補助させるようにしてもよい。
【００１７】
図６に示すように、スリーピングバッグ１０がレクタンギュラー型となっている際には、ストラップ３４は、スリーピングバッグ１０のシェルとポケット２４の間に位置し、スリーピングバッグの下端１４およびポケットの下端２８側からスリーピングバッグの上端１２およびポケットの上端２６側に向けて伸張している。好ましくは、ストラップ３４の第１端部をスリーピングバッグの下端１４とポケットの下端２８のいずれか、または両方に結び付ける。一方、第２端部については、スリーピングバッグ１０とポケット２４のいずれにも結び付けられていない自由端とする。ユーザーが、レクタンギュラー形状からトラペゾイダル形状へとスリーピングバッグ１０を変換させようとする際に、ストラップ３４の自由端を把持し、引っ張ることで、スリーピングバッグ１０を裏返すことをアシストさせることができる。これにより、スリーピング１０の一部を引っ張って、ポケット２４に通じさせるか、その中に入れることで、スリーピングバッグ１０の下端１０の幅を縮小させて、その形状全体の変換が完了する。ただし、スリーピングバッグ１０の第１のレクタンギュラー形状から第２のトラペゾイダル形状への変換は、図５に示すように、ストラップ３４がなくとも、同様の動作により可能である。
【００１８】
その他のさまざまな変更を加えたものも本発明の範囲内にある。すなわち、本発明の特定の実施形態について、図面に示し、上述の通り詳述したが、本発明についてのさまざまな改良や変更は可能である。本発明は開示された特定の形態に限定されるものではなく、すべての改良、代替構成、および均等物も、本発明の技術的思想および範囲に包含されるものであり、その範囲は特許請求の範囲によって画定されるものである。
【符号の説明】
【００１９】
１０  スリーピングバッグ（シェル）
１２  上端
１４  下端
１６  上面
１８  底面
２０、２２  側部
２４  ポケット
２６  上端
２８  下端
３０、３２  側部
３４  ストラップ
【図１】
2011509761.tif 000003
【図２】
2011509761.tif 000004
【図３】
2011509761.tif 000005
【図４ａ】
2011509761.tif 000006
【図４ｂ】
2011509761.tif 000007
【図５ａ】
2011509761.tif 000008
【図５ｂ】
2011509761.tif 000009
【図５ｃ】
2011509761.tif 000010
【図５ｄ】
2011509761.tif 000011
【図６ａ】
2011509761.tif 000012
【図６ｂ】
2011509761.tif 000013
【図６ｃ】
2011509761.tif 000014
【図６ｄ】
2011509761.tif 000015
【図６ｅ】
2011509761.tif 000016
【図６ｆ】
2011509761.tif 000017
【国際調査報告】
2011509761.tif 000018
2011509761.tif 000019